(57)【要約】【課題】この発明は、同じ放送局に対応する複数の放送チャンネルを容易に検索して選択することを可能とし、ユーザの負担を軽減し得る放送受信装置及び放送受信方法を提供することを目的としている。【解決手段】チューナ部１２の受信周波数を順次可変し、信号の得られた放送チャンネルをメモリ１９にプリセットする。２つのチューナ部１２，１３、差分回路１７及び一致判別部１４ｃにより、メモリ１９にプリセットされた放送チャンネルの中から、同じ放送局から送出される番組を放送する放送チャンネルを検索する。この検索された放送チャンネルの中から、自動または手動により、プリセットすべき放送チャンネルを選出する。【選択図】　　図１
2004032647.tif 000002
【特許請求の範囲】
【請求項１】
受信周波数を順次可変し、信号の得られた放送チャンネルをプリセットするプリセット手段と、
このプリセット手段でプリセットされた放送チャンネルの中から、同じ放送局から送出される番組を放送する放送チャンネルを検索する検索手段と、
この検索手段で検索された放送チャンネルの中から、所定の放送チャンネルをプリセットすべき放送チャンネルとして選出する選出手段とを具備してなることを特徴とする放送受信装置。
【請求項２】
前記プリセット手段は、
信号の得られた放送チャンネルの信号レベルを検出するレベル検出手段と、
このレベル検出手段で検出された信号レベルを、その放送チャンネルを特定する情報とともに登録する登録手段とを具備してなることを特徴とする請求項１記載の放送受信装置。
【請求項３】
前記検索手段は、
前記プリセット手段でプリセットされた放送チャンネルの中から、所定の放送チャンネルを選局する第１のチューナ部と、
前記プリセット手段でプリセットされた放送チャンネルの中から、前記第１のチューナ部で選局された放送チャンネルとは異なる放送チャンネルを選局する第２のチューナ部と、
前記第１及び第２のチューナ部から得られる信号の差成分に基づいて、該第１及び第２のチューナ部から得られる信号が一致しているか否かを判別する一致判別手段とを具備してなることを特徴とする請求項１記載の放送受信装置。
【請求項４】
前記検索手段は、
前記プリセット手段でプリセットされた放送チャンネルの信号を蓄積する蓄積手段と、
この蓄積手段に蓄積された信号同士の差成分に基づいて、両信号が一致しているか否かを判別する一致判別手段とを具備してなることを特徴とする請求項１記載の放送受信装置。
【請求項５】
前記選出手段は、前記検索手段で検索された放送チャンネルの中から、信号レベルの高い放送チャンネルをプリセットすべき放送チャンネルとして選出することを特徴とする請求項１記載の放送受信装置。
【請求項６】
前記選出手段は、
前記検索手段で検索された放送チャンネルを一覧表示する表示手段と、
この表示手段で一覧表示された放送チャンネルの中から所望のチャンネルをプリセットすべき放送チャンネルとして選出する操作手段とを具備してなることを特徴とする請求項１記載の放送受信装置。
【請求項７】
前記表示手段は、前記検索手段で検索された放送チャンネルを信号レベルの高い順に一覧表示することを特徴とする請求項６記載の放送受信装置。
【請求項８】
前記操作手段は、前記表示手段で一覧表示された放送チャンネルの中から、所定の放送チャンネルをカーソルによって選択的に指定可能であり、指定された放送チャンネルを選局するように構成されることを特徴とする請求項６記載の放送受信装置。
【請求項９】
受信周波数を順次可変し、信号の得られた放送チャンネルをプリセットするプリセットステップと、
このプリセットステップでプリセットされた放送チャンネルの中から、同じ放送局から送出される番組を放送する放送チャンネルを検索する検索ステップと、
この検索ステップで検索された放送チャンネルの中から、所定の放送チャンネルをプリセットすべき放送チャンネルとして選出する選出ステップとを有することを特徴とする放送受信方法。
【請求項１０】
前記プリセットステップは、
信号の得られた放送チャンネルの信号レベルを検出するレベル検出ステップと、
このレベル検出ステップで検出された信号レベルを、その放送チャンネルを特定する情報とともに登録する登録ステップとを有することを特徴とする請求項９記載の放送受信方法。
【請求項１１】
前記検索ステップは、
前記プリセットステップでプリセットされた放送チャンネルの中から、異なる２つの放送チャンネルをそれぞれ選局する選局ステップと、
この選局ステップで得られた各信号の差成分に基づいて、両信号が一致しているか否かを判別する一致判別ステップとを有することを特徴とする請求項９記載の放送受信方法。
【請求項１２】
前記検索ステップは、
前記プリセットステップでプリセットされた放送チャンネルの信号を蓄積する蓄積ステップと、
この蓄積ステップで蓄積された信号同士の差成分に基づいて、両信号が一致しているか否かを判別する一致判別ステップとを有することを特徴とする請求項９記載の放送受信方法。
【請求項１３】
前記選出ステップは、前記検索ステップで検索された放送チャンネルの中から、信号レベルの高い放送チャンネルをプリセットすべき放送チャンネルとして選出することを特徴とする請求項９記載の放送受信方法。
【請求項１４】
前記選出ステップは、
前記検索ステップで検索された放送チャンネルを一覧表示する表示ステップと、
この表示ステップで一覧表示された放送チャンネルの中から所望のチャンネルをプリセットすべき放送チャンネルとして選出する操作ステップとを有することを特徴とする請求項９記載の放送受信方法。
【請求項１５】
前記表示ステップは、前記検索ステップで検索された放送チャンネルを信号レベルの高い順に一覧表示することを特徴とする請求項１４記載の放送受信方法。
【請求項１６】
前記操作ステップは、前記表示ステップで一覧表示された放送チャンネルの中から、所定の放送チャンネルをカーソルによって選択的に指定可能であり、指定された放送チャンネルを選局することを特徴とする請求項１４記載の放送受信方法。
【発明の詳細な説明】
【０００１】
【発明の属する技術分野】
この発明は、例えばテレビジョン放送等を受信する放送受信装置及び放送受信方法に係り、特にその多数の放送チャンネルを自動的にプリセットする機能を改良したものに関する。
【０００２】
【従来の技術】
周知のように、現在のテレビジョン放送受信機においては、放送チャンネルをプリセットする手段として、多数の放送チャンネルを自動的にプリセット可能とした、いわゆるオートチャンネルプリセット機能が備えられている。
【０００３】
このオートチャンネルプリセット機能は、受信周波数を低い周波数から高い周波数に向けて自動的に順次可変し、テレビジョン放送を受信することができた放送チャンネルをメモリに順次登録していくものである。
【０００４】
ところで、このオートチャンネルプリセット機能によって放送チャンネルのプリセットを行なった場合、同じ放送局からの放送番組を放映している複数の異なる放送チャンネルがプリセットされることがある。
【０００５】
このような場合、ユーザは、同じ放送局からの放送番組を放映している各放送チャンネルを見比べて、最も画質の良い放送チャンネルを残し、他の放送チャンネルをプリセットから外すようにしている。
【０００６】
【発明が解決しようとする課題】
しかしながら、プリセットされた多数の放送チャンネルの中から、同じ放送局からの放送番組を放映している放送チャンネルを探し出すことや、探し出した各放送チャンネルを見比べて選択することは、ユーザにとって非常に煩雑で困難な作業を強いることになるという問題を有している。
【０００７】
なお、オートチャンネルプリセット機能に関する公知例としては、特開平１０−２２４７０４号公報及び特開平１０−２３３９６９号公報等があるが、いずれも、上記した問題点を解決することについては何らの記載もなされていないものである。
【０００８】
そこで、この発明は上記事情を考慮してなされたもので、同じ放送局に対応する複数の放送チャンネルを容易に検索して選択することを可能とし、ユーザの負担を軽減し得る極めて良好な放送受信装置及び放送受信方法を提供することを目的とする。
【０００９】
【課題を解決するための手段】
この発明に係る放送受信装置は、受信周波数を順次可変し、信号の得られた放送チャンネルをプリセットするプリセット手段と、このプリセット手段でプリセットされた放送チャンネルの中から、同じ放送局から送出される番組を放送する放送チャンネルを検索する検索手段と、この検索手段で検索された放送チャンネルの中から、所定の放送チャンネルをプリセットすべき放送チャンネルとして選出する選出手段とを備えるようにしたものである。
【００１０】
また、この発明に係る放送受信方法は、受信周波数を順次可変し、信号の得られた放送チャンネルをプリセットするプリセットステップと、このプリセットステップでプリセットされた放送チャンネルの中から、同じ放送局から送出される番組を放送する放送チャンネルを検索する検索ステップと、この検索ステップで検索された放送チャンネルの中から、所定の放送チャンネルをプリセットすべき放送チャンネルとして選出する選出ステップとを有するものである。
【００１１】
上記のような構成及び方法によれば、プリセットされた放送チャンネルの中から、同じ放送局から送出される番組を放送する放送チャンネルを検索し、この検索された放送チャンネルの中から、所定の放送チャンネルをプリセットすべき放送チャンネルとして選出するようにしたので、同じ放送局に対応する複数の放送チャンネルを容易に検索して選択することを可能とし、ユーザの負担を軽減することが可能となる。
【００１２】
【発明の実施の形態】
以下、この発明の実施の形態について、図面を参照して詳細に説明する。図１は、この実施の形態で説明するテレビジョン放送受信機を示している。図１において、符号１１はアンテナである。このアンテナ１１で受信されたテレビジョン放送信号は、２つのチューナ部１２，１３にそれぞれ供給される。
【００１３】
これらチューナ部１２，１３は、入力されたテレビジョン放送信号から、制御部１４によって指定された放送チャンネルの映像信号を選局する。この場合、制御部１４は、各チューナ部１２，１３にそれぞれ異なる放送チャンネルを選局させることが可能である。
【００１４】
そして、チューナ部１２で選局された映像信号は、信号処理部１５に供給される。この信号処理部１５は、入力された映像信号に画像表示のための復調処理を施した後、表示部１６に出力する。これにより、チューナ部１２で選局した放送チャンネルの映像信号が表示部１６で画像表示される。
【００１５】
また、このチューナ部１２で選局された映像信号は、制御部１４に供給されている。さらに、上記チューナ部１２，１３で選局された各映像信号は、差分回路１７に供給されて両信号の差成分が取り出される。この差分回路１７で取り出された差成分は、制御部１４に供給される。
【００１６】
ここで、上記制御部１４は、例えばマイクロコンピュータ等を内蔵しており、操作部１８から与えられる操作情報を受け、メモリ１９を利用して、チューナ部１２，１３、信号処理部１５及び差分回路１７等を統括的に制御するとともに、表示部１６に所定の画像表示を行なわせることができる。
【００１７】
また、この制御部１４は、信号判別部１４ａとレベル検出部１４ｂと一致判別部１４ｃとを備えている。このうち、信号判別部１４ａは、チューナ部１２の出力信号レベルを検知して、映像信号が得られたか否か、つまり、チューナ部１２がテレビジョン放送を受信することができたか否かを判別している。
【００１８】
さらに、レベル検出部１４ｂは、信号判別部１４ａによって映像信号が得られたと判別された場合に、その映像信号のレベル（強度）を検知している。また、一致判別部１４ｃは、差分回路１７で取り出された差成分に基づいて、チューナ部１２，１３で選局された映像信号が同じか否かを判別している。
【００１９】
つまり、この一致判別部１４ｃは、チューナ部１２によって選局された放送チャンネルと、チューナ部１３によって選局された放送チャンネルとが、同じ放送局からの放送番組を放映している放送チャンネルであるか否かを判別していることになる。
【００２０】
上記のような構成となされたテレビジョン放送受信機において、以下、図２及び図３に示すフローチャートを参照して、その特徴的な動作である、オートチャンネルプリセット動作とプリセットされた放送チャンネルの処理動作とについて説明する。
【００２１】
まず、開始（ステップＳ１１）されると、制御部１４は、ステップＳ１２で、チューナ部１２の受信周波数を初期化する。その後、制御部１４は、ステップＳ１３で、初期化した受信周波数を順次可変していくことにより、映像信号（放送チャンネル）の検索を実行する。
【００２２】
この場合、制御部１４は、ステップＳ１４で、上記信号判別部１４ａを介して映像信号が検出されたか否かを判別する。映像信号が検出されたと判断された場合（ＹＥＳ）、制御部１４は、ステップＳ１５で、レベル検出部１４ｂを介してその映像信号のレベルを取得する。
【００２３】
その後、制御部１４は、ステップＳ１６で、検出された映像信号の放送チャンネルを特定する情報（周波数）及びその映像信号のレベルを、メモリ１９に登録する。この場合、制御部１４は、ユーザが設定する表示番号も、上記特定情報に対応させてメモリ１９に登録する。
【００２４】
そして、ステップＳ１６の後、または、上記ステップＳ１４で映像信号が検出されないと判断された場合（ＮＯ）、制御部１４は、ステップＳ１７で、全ての周波数に渡って映像信号の検索が行なわれたか否かを判別し、行なわれていないと判断された場合（ＮＯ）、ステップＳ１３の処理に戻される。
【００２５】
また、ステップＳ１７で全ての周波数に渡って映像信号の検索が行なわれたと判断された場合（ＹＥＳ）、制御部１４は、オートチャンネルプリセット動作が完了したと判断する。これにより、以後、ユーザが表示番号を入力することによって、その表示番号に対応した放送チャンネルが選局されるようになる。
【００２６】
このようにオートチャンネルプリセット動作が完了すると、制御部１４は、ステップＳ１８で、プリセットされた複数の放送チャンネルのうち所定の放送チャンネル（例えば一番若いチャンネル番号を有する放送チャンネル）をチューナ部１２に選局させる。
【００２７】
その後、制御部１４は、ステップＳ１９で、プリセットされた複数の放送チャンネルのうち次の放送チャンネル（例えば２番目に若いチャンネル番号を有する放送チャンネル）をチューナ部１３に選局させる。
【００２８】
そして、制御部１４は、ステップＳ２０で、差分回路１７で取り出された差成分に基づき、一致判別部１４ｃを介してチューナ部１２，１３からそれぞれ得られた映像信号が同じか否かを判別する。同じでないと判断された場合（ＮＯ）、制御部１４は、ステップＳ１９の処理に戻され、その次の放送チャンネル（例えば３番目に若いチャンネル番号を有する放送チャンネル）をチューナ部１３に選局させる。
【００２９】
また、ステップＳ２０でチューナ部１２，１３から得られた各映像信号が同じであると判断された場合（ＹＥＳ）、制御部１４は、ステップＳ２１で、メモリ１９に記録されたレベルに基づき、チューナ部１２で得られた映像信号のレベルに対して、チューナ部１３で得られた映像信号のレベルが高いか否かを判別する。
【００３０】
そして、チューナ部１２で得られた映像信号のレベルに対して、チューナ部１３で得られた映像信号のレベルが高くないと判断された場合（ＮＯ）、制御部１４は、ステップＳ１９の処理に戻され、その次の放送チャンネルをチューナ部１３に選局させる。
【００３１】
また、上記ステップＳ２１においてチューナ部１２で得られた映像信号のレベルよりも、チューナ部１３で得られた映像信号のレベルが高いと判断された場合（ＹＥＳ）、制御部１４は、ステップＳ２２で、チューナ部１２にチューナ部１３で受信している放送チャンネルを受信させるように切り替えた後、ステップＳ１９の処理に戻され、チューナ部１３にその次の放送チャンネルを選局させる。
【００３２】
このように、ステップＳ１８〜Ｓ２２の処理を繰り返すことにより、最初にステップＳ１８でチューナ部１２が選局した放送チャンネルと同じ放送局からの放送番組を放映している放送チャンネルの中で、映像信号のレベルが一番高い放送チャンネルが検索されて、メモリ１９に記録される。
【００３３】
また、同じ放送局からの放送番組を放映している放送チャンネルの中で、映像信号のレベルが一番高い放送チャンネルが検索されると、制御部１４は、チューナ部１２に他の放送チャンネルを選局させる。すると、同様に、チューナ部１２が選局している放送チャンネルと同じ放送局からの放送番組を放映している放送チャンネルの中で、映像信号のレベルが一番高い放送チャンネルが検索されて、メモリ１９に記録される。
【００３４】
そして、制御部１４は、メモリ１９にプリセットされた全ての放送チャンネルの中で、同じ放送局からの放送番組を放映している各放送チャンネルについて、それぞれ、映像信号のレベルが一番高い放送チャンネルを検索しメモリ１９に記録する処理が完了した場合、終了（ステップＳ２３）される。
【００３５】
上記のようにして、同じ放送局からの放送番組を放映している各放送チャンネルについて、それぞれ、映像信号のレベルが一番高い放送チャンネルが検索された状態で、以後の処理は、オートプリセットモードとマニュアルプリセットモードとに分けられる。
【００３６】
まず、ユーザがオートプリセットモードを選択している場合、制御部１４は、同じ放送局からの放送番組を放映している各放送チャンネルのうち、映像信号のレベルが一番高い放送チャンネルのみをプリセットすべき放送チャンネルとして選出しメモリ１９に残す。他の放送チャンネルは、メモリ１９から削除することにより、プリセットから外す。
【００３７】
また、ユーザがマニュアルプリセットモードを選択している場合、制御部１４は、図４に示すように、放送局名と、その放送局からの放送番組を放映している放送チャンネルの番号と、ユーザの設定した表示番号とを、表示部１６に一覧表示させる。
【００３８】
ユーザは、この一覧表示画面上に表示されたカーソルＫを、操作部１８を操作して移動させることにより、所望の放送チャンネルを指定する。すると、制御部１４は、その指定された放送チャンネルを受信して表示するように制御する。そして、ユーザが操作部１８を操作して指定した放送チャンネルを決定すると、制御部１４は、その決定された放送チャンネルをプリセットすべき放送チャンネルとして選出しメモリ１９に残す。他の放送チャンネルは、メモリ１９から削除することにより、プリセットから外す。
【００３９】
図４では、放送局１からの放送番組を放映している放送チャンネルが４つ存在し、それぞれの放送チャンネル番号が１，２５，２９，２９であることと、放送局２からの放送番組を放映している放送チャンネルが３つ存在し、それぞれの放送チャンネル番号が２，８，１７であることが一覧表示されている。この場合、放送チャンネル番号は、図面上で上から下に向けてレベルの高いものから低いものとなるように、レベル順に表示されている。
【００４０】
上記した実施の形態によれば、同じ放送局からの放送番組を放映している放送チャンネルを自動的に検索し、オートプリセットモードにおいては、検索された放送チャンネルの中で映像信号のレベルが最も高い放送チャンネルをプリセットするようにしたので、ユーザにとって放送チャンネルのプリセット作業を容易化することができる。
【００４１】
また、マニュアルプリセットモードにおいては、検索された放送チャンネルを一覧表示し、この一覧表示画面上においてカーソルＫで選択することにより、所定の放送チャンネルを表示することができるので、同じ放送局からの放送番組を放映している放送チャンネルを見比べることが容易に可能となるため、ユーザがプリセットする放送チャンネルを選択する作業を容易化することができる。
【００４２】
図５は、上記した実施の形態の変形例を示している。図５において、図１と異なる点は、チューナ部１３及び差分回路１７を削除し、制御部１４にチューナ部１２で選局した映像信号を所定時間分だけ蓄積する映像信号蓄積部１４ｄを備えるようにしたことである。
【００４３】
このような構成によれば、映像信号蓄積部１４ｄに蓄積された各放送チャンネルの映像信号を比較し、その差成分を一致判別部１４ｃで判別することにより、同じ放送局からの放送番組を放映している放送チャンネルを検索することができる。
【００４４】
なお、この発明は上記した実施の形態に限定されるものではなく、この外その要旨を逸脱しない範囲で種々変形して実施することができる。
【００４５】
【発明の効果】
以上詳述したようにこの発明によれば、同じ放送局に対応する複数の放送チャンネルを容易に検索して選択することを可能とし、ユーザの負担を軽減し得る極めて良好な放送受信装置及び放送受信方法を提供することができる。
【図面の簡単な説明】
【図１】この発明の実施の形態を示すもので、テレビジョン放送受信機を説明するために示すブロック構成図。
【図２】同実施の形態におけるテレビジョン放送受信機の特徴的な動作を説明するために示すフローチャート。
【図３】同実施の形態におけるテレビジョン放送受信機の特徴的な動作を説明するために示すフローチャート。
【図４】同実施の形態におけるテレビジョン放送受信機のマニュアルプリセットモード時の表示画面の一例を説明するために示す図。
【図５】同実施の形態における変形例を説明するために示すブロック構成図。
【符号の説明】
１１…アンテナ、
１２…チューナ部、
１３…チューナ部、
１４…制御部、
１５…信号処理部、
１６…表示部、
１７…差分回路、
１８…操作部、
１９…メモリ。
【図１】
2004032647.tif 000003
【図２】
2004032647.tif 000004
【図３】
2004032647.tif 000005
【図４】
2004032647.tif 000006
【図５】
2004032647.tif 000007